(57)【特許請求の範囲】
【請求項１】
浴槽壁部に貫通状態に組み付けられ、かつ前面に吸引口が設けられた槽内突出部を有するアダプター本体を備え、浴槽内の湯水をノズル部材を介して前記槽内突出部の吸引口に吸引させるようにした浴槽用給湯アダプターであって、
前記ノズル部材は、背面に取付口を有しその取付口を前記吸引口に臨ませた状態で前記槽内突出部に取り付けられ、かつ下端開口が下向きに配置されるノズル本体と、下端開口が下向きに配置された状態で上端開口が前記ノズル本体の下端開口に着脱可能な延長ノズルと、前記ノズル本体の下端開口または前記延長ノズルの下端開口に着脱可能なフィルター部材とを備え、
前記ノズル部材は、前記ノズル本体の下端開口に前記フィルター部材が取り付けられた非延長形態と、前記ノズル本体の下端開口に前記延長ノズルの上端開口が取り付けられ、かつ前記延長ノズルの下端開口に前記フィルター部材が取り付けられた延長形態とのいずれの形態においても使用可能に構成されていることを特徴とする浴槽用給湯アダプター。
【請求項２】
前記ノズル本体は、前記取付口の周縁部に沿って設けられ、かつ前記槽内突出部の前面外周縁部に対向して配置される周縁シール部と、前記槽内突出部の周側面を覆うように配置される周側壁部とを備え、
前記周縁シール部が前記槽内突出部の前面外周縁部にリング状の水密パッキンを介して圧接した状態で、前記ノズル本体が前記槽内突出部に取り付けられている請求項１に記載の浴槽用給湯アダプター。
【請求項３】
前記ノズル本体の周側壁内面にスライド突起が設けられるとともに、
前記槽内突出部の周側面に前記スライド突起に対応して固定溝が設けられ、
前記固定溝は、軸心方向に沿って延び、かつ前端が前方に向けて開口する軸方向溝と、前記軸方向溝の後端に一端が連通し、かつ略周方向に沿って延びる周方向溝とを備え、
前記スライド突起が前記軸方向溝に収容された状態で、前記ノズル本体が前記アダプター本体に対し捻回操作されて、前記スライド突起が前記軸方向溝から遠ざかるように前記周方向溝に沿って移動することによって、前記ノズル本体が前記アダプター本体に取り付けられるように構成され、
前記周方向溝の前側縁部に、前記軸方向溝から遠ざかるに従って次第に後方に位置するように斜めに形成されたカムが設けられ、
前記捻回操作時に前記スライド突起が前記カムによって後方に移動することにより、前記ノズル本体が前記アダプター本体側に引き寄せされて、前記周縁シール部が前記槽内突出部に圧接するように構成されている請求項２に記載の浴槽用給湯アダプター。
【請求項４】
前記フィルター部材の外周に、片持ち構造で弾力性を有するつまみ片が設けられるとともに、そのつまみ片の外面に挿入突起が設けられ、
前記ノズル本体の下端部に前記挿入突起に対応して固定孔が形成される一方、
前記延長ノズルの下端部に前記挿入突起に対応して固定孔が形成され、
前記フィルター部材をそのつまみ片をその固定端を支点として内側に弾性変形させた状態で、前記ノズル本体の下端開口または前記延長ノズルの下端開口に挿入して、前記つまみ片を弾性復帰させることにより、前記挿入突起が前記固定孔に挿入されて前記フィルター部材が前記ノズル本体または前記延長ノズルに取り付けられるよう構成され、
前記つまみ片は、その固定端から自由端にかけて水平に配置されるように横向きに設定されている請求項１〜３のいずれか１項に記載の浴槽用給湯アダプター。
【請求項５】
浴槽壁部に貫通状態に組み付けられた給湯口アダプターにおける槽内突出部前面の吸引口に浴槽内の水を吸引させるためのノズル部材であって、
背面に取付口を有しその取付口を前記吸引口に臨ませた状態で前記槽内突出部に取り付けられ、かつ下端開口が下向きに配置されるノズル本体と、
下端開口が下向きに配置された状態で上端開口が前記吸引ノズルの下端開口に着脱可能な延長ノズルと、
前記ノズル本体の下端開口または前記延長ノズルの下端開口に着脱可能なフィルター部材とを備え、
前記ノズル本体の下端開口に前記フィルター部材が取り付けられた非延長形態と、前記ノズル本体の下端開口に前記延長ノズルの上端開口が取り付けられ、かつ前記延長ノズルの下端開口に前記フィルター部材が取り付けられた延長形態とのいずれの形態においても使用可能に構成されていることを特徴とする浴槽用給湯アダプターのノズル部材。
【発明の詳細な説明】
【技術分野】
【０００１】
本発明は、浴槽内に残った湯水を吸引することができる浴槽用給湯アダプターおよびそのノズル部材に関する。
【背景技術】
【０００２】
特許文献１に示すように、追い焚きができる循環式の浴槽用給湯システムにおいて、室外給湯機と浴槽内との間で湯水を循環させる追い焚きに加えて、入浴後に浴槽内に残った湯水（残り湯）の再利用をスムーズに行えるように、浴槽と、洗濯機が設置された洗面室等との間に残り湯取出管（お湯取り管）を設置しておき、その残り湯取出管を用いて浴槽内の残り湯を洗濯機まで送り出し洗濯水として利用できるようにした配管設備が周知である。
【０００３】
このような浴槽用給湯システムに採用される給湯アダプター（循環金具）においては、浴槽側壁に貫通状態に組み付けられるアダプター本体を備え、そのアダプター本体における浴槽内に突出される円盤状の部分（槽内突出部）の例えば前面に吸引口が設けられるとともに、周側面に吐出口が設けられている。そして追い焚き時には吸引口から浴槽内の湯水が吸引されて室外給湯機に吸引されるとともに、給湯機から供給された湯水が吐出口から浴槽内に供給されるようになっている。さらに残り湯取出時には、上記吸引口から吸引された浴槽内の残り湯が残り湯取出管等を介して洗濯機に送り出されるようになっている。
【０００４】
一方、給湯アダプターには、アダプター本体の槽内突出部に着脱自在にフィルター部材が外嵌されているが、このフィルター部材に吸引ノズルを取り付けて、その吸引ノズルを介して浴槽内の残り湯を取り出すようにした残り湯吸引機能付き給湯アダプターが提案されている。この給湯アダプターは、フィルター部材における吸引口に対応する位置に吸引ノズルの上端が連結されるとともに、吸引ノズルの下端（吸引口）が浴槽底面付近に配置されている。そして吸引ノズルを介して浴槽底面付近まで残り湯を吸い込んで残り湯の取出量を十分に確保することにより、浴槽内の残り湯の有効利用を図るようにしている。
【先行技術文献】
【特許文献】
【０００５】
【特許文献１】特開２０１２−４１７９０号公報
【特許文献２】特開２００３−１０２６３３号公報
【発明の概要】
【発明が解決しようとする課題】
【０００６】
しかしながら、上記従来の吸引ノズル付給湯アダプターは、吸引ノズルの長さが一定であるのに対し、浴槽は、腰掛け浴槽やノーマル浴槽のように給湯アダプターの取付高さが異なる場合がある。このため例えば給湯アダプターの取付高さが高いにもかかわらず、給湯アダプターの吸引ノズルが短いような場合、吸引ノズルの下端が底面から上方に離れた位置に配置されるため、残り湯を最後まで十分に吸引できず、残り湯の有効利用を図ることができなくなってしまう。逆に給湯アダプターの取付高さが低いにもかかわらず、給湯アダプターの吸引ノズルが長いような場合には、吸引ノズルが浴槽底面に干渉してしまうため、吸引ノズル付きのフィルター部材を取り付けることができず、残り湯を十分に吸引できなくなってしまう。
【０００７】
以上のように従来の吸引ノズル付きの給湯アダプターにおいては、アダプター本体の取付高さによって、十分に残り湯を吸引できない場合があるという課題を抱えている。
【０００８】
この発明は、上記の課題に鑑みてなされたものであり、アダプター本体の取付高さにかかわらず、残り湯を十分に吸引することができる浴槽用給湯アダプターおよびそのノズル部材を提供することを目的とする。
【課題を解決するための手段】
【０００９】
上記目的を達成するため、本発明は以下の構成を要旨とする。
【００１０】
［１］浴槽壁部に貫通状態に組み付けられ、かつ前面に吸引口が設けられた槽内突出部を有するアダプター本体を備え、浴槽内の湯水をノズル部材を介して前記槽内突出部の吸引口に吸引させるようにした浴槽用給湯アダプターであって、
前記ノズル部材は、背面に取付口を有しその取付口を前記吸引口に臨ませた状態で前記槽内突出部に取り付けられ、かつ下端開口が下向きに配置されるノズル本体と、下端開口が下向きに配置された状態で上端開口が前記ノズル本体の下端開口に着脱可能な延長ノズルと、前記ノズル本体の下端開口または前記延長ノズルの下端開口に着脱可能なフィルター部材とを備え、
前記ノズル部材は、前記ノズル本体の下端開口に前記フィルター部材が取り付けられた非延長形態と、前記ノズル本体の下端開口に前記延長ノズルの上端開口が取り付けられ、かつ前記延長ノズルの下端開口に前記フィルター部材が取り付けられた延長形態とのいずれの形態においても使用可能に構成されていることを特徴とする浴槽用給湯アダプター。
【００１１】
［２］前記ノズル本体は、前記取付口の周縁部に沿って設けられ、かつ前記槽内突出部の前面外周縁部に対向して配置される周縁シール部と、前記槽内突出部の周側面を覆うように配置される周側壁部とを備え、
前記周縁シール部が前記槽内突出部の前面外周縁部にリング状の水密パッキンを介して圧接した状態で、前記ノズル本体が前記槽内突出部に取り付けられている前項１に記載の浴槽用給湯アダプター。
【００１２】
［３］前記ノズル本体の周側壁内面にスライド突起が設けられるとともに、
前記槽内突出部の周側面に前記スライド突起に対応して固定溝が設けられ、
前記固定溝は、軸心方向に沿って延び、かつ前端が前方に向けて開口する軸方向溝と、前記軸方向溝の後端に一端が連通し、かつ略周方向に沿って延びる周方向溝とを備え、
前記スライド突起が前記軸方向溝に収容された状態で、前記ノズル本体が前記アダプター本体に対し捻回操作されて、前記スライド突起が前記軸方向溝から遠ざかるように前記周方向溝に沿って移動することによって、前記ノズル本体が前記アダプター本体に取り付けられるように構成され、
前記周方向溝の前側縁部に、前記軸方向溝から遠ざかるに従って次第に後方に位置するように斜めに形成されたカムが設けられ、
前記捻回操作時に前記スライド突起が前記カムによって後方に移動することにより、前記ノズル本体が前記アダプター本体側に引き寄せされて、前記周縁シール部が前記槽内突出部に圧接するように構成されている前項２に記載の浴槽用給湯アダプター。
【００１３】
［４］前記フィルター部材の外周に、片持ち構造で弾力性を有するつまみ片が設けられるとともに、そのつまみ片の外面に挿入突起が設けられ、
前記ノズル本体の下端部に前記挿入突起に対応して固定孔が形成される一方、
前記延長ノズルの下端部に前記挿入突起に対応して固定孔が形成され、
前記フィルター部材をそのつまみ片をその固定端を支点として内側に弾性変形させた状態で、前記ノズル本体の下端開口または前記延長ノズルの下端開口に挿入して、前記つまみ片を弾性復帰させることにより、前記挿入突起が前記固定孔に挿入されて前記フィルター部材が前記ノズル本体または前記延長ノズルに取り付けられるよう構成され、
前記つまみ片は、その固定端から自由端にかけて水平に配置されるように横向きに設定されている前項１〜３のいずれか１項に記載の浴槽用給湯アダプター。
【００１４】
［５］浴槽壁部に貫通状態に組み付けられた給湯口アダプターにおける槽内突出部前面の吸引口に浴槽内の水を吸引させるためのノズル部材であって、
背面に取付口を有しその取付口を前記吸引口に臨ませた状態で前記槽内突出部に取り付けられ、かつ下端開口が下向きに配置されるノズル本体と、
下端開口が下向きに配置された状態で上端開口が前記吸引ノズルの下端開口に着脱可能な延長ノズルと、
前記ノズル本体の下端開口または前記延長ノズルの下端開口に着脱可能なフィルター部材とを備え、
前記ノズル本体の下端開口に前記フィルター部材が取り付けられた非延長形態と、前記ノズル本体の下端開口に前記延長ノズルの上端開口が取り付けられ、かつ前記延長ノズルの下端開口に前記フィルター部材が取り付けられた延長形態とのいずれの形態においても使用可能に構成されていることを特徴とする浴槽用給湯アダプターのノズル部材。
【発明の効果】
【００１５】
上記［１］の発明の浴槽用給湯アダプターによれば、ノズル部材を非延長形態と延長形態とのいずれの形態でも使用できるため、使用形態を適宜選択することによって、浴槽に対するアダプター本体の取付高さにかかわらずノズル部材の下端位置を浴槽底面付近の低い位置に配置でき、残り湯をほとんど残さずに十分に取り出して有効に利用することができる。
【００１６】
上記［２］の発明の浴槽用給湯アダプターによれば、ノズル部材における取付口の周縁シール部をパッキンを介して槽内突出部の前面外周縁部に圧接するようにノズル部材をアダプター本体に取り付けるものであるため、簡単な構成でアダプター本体およびノズル部材間の水密を確実に図ることができる。
【００１７】
上記［３］の発明の浴槽用給湯アダプターによれば、槽内突出部周側面のＬ字状固定溝にノズル部材のスライド突起を挿入してノズル部材を捻回操作するだけでノズル部材をアダプター本体に圧接した状態に固定できるため、水密を確実に図りつつ、ノズル部材をアダプター本体に簡単に取り付けることができる。
【００１８】
上記［４］の発明の浴槽用給湯アダプターによれば、フィルター部材のつまみ片を横向きに形成しているため、つまみ片に形成される挿入突起の位置を低くでき、挿入突起が挿入される固定孔の高さも低く設定することできる。つまり水密を保つことが困難な固定孔の位置を低くでき、その分、ノズル部材により吸込可能な水位を低くできる。従って残り湯を低位まで確実に吸い込むことができ、残り湯をより一層有効に利用することができる。
【００１９】
上記［５］の発明の浴槽用給湯アダプターのノズル部材によれば、上記と同様に浴槽に対するアダプター本体の取付高さにかかわらずノズル部材の下端位置を浴槽底面付近の低い位置に配置でき、残り湯をほとんど残さずに十分に取り出して有効に利用することができる。
【図面の簡単な説明】
【００２０】
【図１】図１はこの発明の実施形態である給湯アダプターを示す斜視図である。
【図２】図２は実施形態の給湯アダプターを示す側面図である。
【図３】図３は実施形態の給湯アダプターを示す側面断面図である。
【図４】図４は実施形態の給湯アダプターを裏面側から見た状態の分解斜視図である。
【図５】図５は実施形態の給湯アダプターにおけるアダプター本体を分解して示す側面断面図である。
【図６】図６は実施形態の給湯アダプターにおけるノズル本体付き流路仕切部材を示す側面断面図である。
【図７】図７は実施形態のノズル本体付き流路仕切部材を分解して示す側面断面図である。
【図８】図８は実施形態の流路仕切部材を示す図であって、図（ａ）は正面図、図（ｂ）は側面図である。
【図９】図９は実施形態のアダプター本体の固定溝周辺を拡大して示す側面図であって、図（ａ）はノズル部材のスライド突起挿入途中の状態を示す側面図、図（ｂ）はノズル部材のスライド突起挿入後の状態を示す側面図である。
【図１０】図１０は実施形態のノズル部材を分解して示す側面図である。
【図１１】図１１は実施形態のノズル部材を分解して示す背面図である。
【図１２】図１２は実施形態のフィルター部材を示す下面図である。
【図１３】図１３は実施形態のノズル部材にフィルター部材の取付方法を説明するための下面図である。
【図１４】図１４は実施形態の給湯アダプターをノズル非延長形態で示す側面図である。
【図１５】図１５はフィルター部材の取付方法の他の例を説明するための一部切欠正面図である。
【発明を実施するための形態】
【００２１】
図１〜図５はこの発明の実施形態である給湯アダプターを示す図である。これらの図に示すように、本実施形態の給湯アダプターは、浴槽の側壁（壁部）Ｗに貫通状態に取り付けられるアダプター本体Ｐと、アダプター本体Ｐの槽内突出部４０に取り付けられるノズル部材５とを備えている。なお、本明細書の説明においては、給湯アダプターの軸心方向に沿って浴槽に対して内側（図２および図３の左側）を「前側」または「正面側」とし、浴槽に対して外側（図２および図３の右側）を「後側」「裏面側」または「背面側」として説明する。
【００２２】
アダプター本体Ｐは、槽外取付部材１と、管路部材２と、雄ねじ部材３と、流路仕切部材４とを備えている。
【００２３】
槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５とを備えている。外筒部１２の後端部における上下両側には流入口１ａおよび流出口１ｂが設けられており、流入口１ａが内筒部１１の内部に連通接続されるとともに、流出口１ｂが内筒部１１および外筒部１２間の環状部に連通接続されている。内筒部１１の内部は、後述する内側流路Ａの一部を構成するものであり、内筒部１１および外筒部１２間の環状空間は、後述する外側流路Ｂの一部を構成するものである。
【００２４】
なお外筒部１２の内周面には雄ねじ部材３をねじ込んで固定するための雌ねじが刻設されている。
【００２５】
管路部材２には、その後部に往き管接続口２ａおよび戻り管接続口２ｂが設けられている。さらに管路部材２には、一端側が槽外取付部材１の流入口１ａに連通接続され、かつ他端側が往き管接続口２ａに連通接続された往き管路２１ａが設けられるとともに、一端側が槽外取付部材１の流出口１ｂに連通接続され、かつ他端側が戻り管接続口２ｂに連通接続された戻り管路２１ｂが設けられている。
【００２６】
さらに管路部材２における戻り管路２１ｂには分岐管路２１ｃが設けられるとともに、その分岐管路２１ｃには残り湯取出口２ｃが設けられている。
【００２７】
また管路部材２における往き管路２１ａと戻り管路２１ｂとの間には逆止弁２２ａが設けられている。この逆止弁２２ａは、戻り管路２１ｂ側から往き管路２１ａ側に流動する湯水の流れは許容し、かつその逆方向の流れを制止するように構成されている。
【００２８】
さらに管路部材２における戻り管路２１ｂには、分岐管路２１ｃよりも戻り管接続口２ｂ側寄りの位置に逆止弁２２ｂが設けられている。この逆止弁２２ｂは、戻り管路２１ｂ内を槽外取付部材１の流出口１ｂ側から戻り管接続口２１ｂ側に流動する湯水の流れは許容し、かつその逆方向の流れを制止するように構成されている。
【００２９】
また分岐管路２１ｃには逆止弁２２ｃが設けられている。この逆止弁２２ｃは、戻り管路２１ｂ側から残り湯取出口２ｃ側に流動する湯水の流れは許容し、かつその逆方向の流れを制止するように構成されている。
【００３０】
雄ねじ部材３は、前後両端が開放された円筒体の前端外周に平板リング状のフランジ部３５が一体に形成された鍔付き円筒形状に形成されている。
【００３１】
雄ねじ部材３の外周側面には、上記槽外取付部材１における外筒部１２の雌ねじに対応して雄ねじが刻設されている。
【００３２】
そして、管路部材２付きの槽外取付部材１のフランジ部１５が、浴槽の外壁面における取付孔の周縁部に沿うように配置された状態で、雄ねじ部材３のフランジ部３５が、浴槽内壁面における取付孔の周縁部に圧接されるようにして、雄ねじ部材３が取付孔を通じて、槽外取付部材１の外筒部１２にねじ込まれて固定される。これにより両部材１，３のフランジ部１５，３５によって、浴槽側壁Ｗにおける取付孔周縁部が挟持されて、管路部材２付きの槽外取付部材１と雄ねじ部材３とが浴槽側壁Ｗに組み付けられる。
【００３３】
図５〜図８に示すように流路仕切部材４は、軸心方向（前後方向）に延びる細長い円筒形状の円筒部４５と、その円筒部４５の前端部に設けられた略円盤状の槽内突出部４０とを有している。
【００３４】
円筒部４５は、後述するように槽外取付部材１の内筒部１１に接続されるものであり、円筒部４５の内部と、それに連通する槽外取付部材１における内筒部１１の内部とによって、内側流路Ａが形成される。さらに円筒部４５は、後述するように雄ねじ部材３の内部に配置されるものであり、円筒部４５および雄ねじ部材３間の環状空間と、それに連通する槽外取付部材１における内筒部１１および外筒部１２間の環状空間とによって、外側流路Ｂが形成される。
【００３５】
槽内突出部４０の前壁における上部両側には、多数の小孔によってそれぞれ構成される吸引口４１が左右に並んで形成されるとともに、外周壁における下側部には、吐出口４２が形成されている。
【００３６】
図８および図９に示すように槽内突出部４０の周側面には、後に詳述するノズル部材５を固定するための固定溝４６が形成されている。図９に示すようにこの固定溝４６は、側面視Ｌ字状に形成されており、周方向に適宜間隔をおいて複数形成されている。この固定溝４６は、軸心方向に沿って前後方向に延び、かつ前端が前方に向けて開口する軸方向溝４７と、軸方向溝４７の後端に一端が連通し、かつ周方向に沿って延びる周方向溝４８とを備えている。さらに周方向溝４８の前側縁部における軸方向溝４７の近傍が、軸方向溝４７から遠ざかるに従って次第に後方に位置するように斜めに形成され、その傾斜部がカム４９として構成されている。
【００３７】
なお本実施形態において、給湯アダプターおよびアダプター本体Ｐの軸心方向は前後方向に相当し、ノズル部材５の軸心方向は上下方向（垂直方向）に相当する。
【００３８】
図３および図５に示すようにこの構成の流路仕切部材４における円筒部４５が雄ねじ部材３に前方から挿入されて槽外取付部材１の内筒部１１に連通接続され、その状態で流路仕切部材４における槽内突出部４５の裏面側外周が雄ねじ部材３のフランジ部３５に周知のロック手段によって着脱自在に取り付けられる。
【００３９】
こうして流路仕切部材４を雄ねじ部材３および槽外取付部材１に組み付けた状態では、槽内突出部４０における吸引口４１の少なくともいずれか一方が、槽内突出部４０内に設けられた流路（図示省略）を介して外側流路Ｂ内に連通されるとともに、吐出口４２の少なくともいずれか一方が、槽内突出部４０内に設けられた流路を介して、内側流路Ａに連通されている。
【００４０】
この構成のアダプター本体Ｐにおいて、管路部材２の往き管接続口２ａは、室外給湯機（図示省略）の給湯口に往き管２５ａを介して連結され、戻り管接続口２ｂは、室外給湯機の吸引口に戻り管２５ｂを介して連結されている。さらに残り湯取出口２ｃには、洗濯機の吸引ポンプに残り湯取出管２５ｃを介して連結されている。
【００４１】
そして追い焚き時に戻り側の回路においては、給湯機による吸引作用によって戻り管２５ｂ、戻り管路２１ｂ、外側流路Ｂおよび吸引口４１が負圧に設定される。その吸引力によって湯水が吸引口４１から外側流路Ｂに導入されて、槽外取付部材１の流出口１ｂから管路部材２の戻り管路２１ｂ内に導入されて、逆止弁２２ｂ、戻り管接続口２ｂおよび戻り管２５ｂを介して給湯機に戻される。一方、往き側の回路においては、給湯機から供給される湯水が往き管２５ａを通って管路部材２の往き管接続口２ａから往き管路２１ａ内に導入され、さらにその湯水は槽外取付部材１の流入口１ａから内側流路Ａに導入されて、槽内突出部４０の吐出口４２から吐出される。
【００４２】
また浴槽内の残り湯を取り出す際には、洗濯機の吸引ポンプによって残り湯取出管２５ｃ内が負圧となりその吸引力によって、湯水が槽内突出部４０の吸引口４１から外側流路Ｂに導入されて、槽外取付部材１の流出口１ｂから管路部材２の戻り流路２１ｂ内に導入された後、逆止弁２２ｃを通って分岐管２ｃに導入される。さらにその湯水は残り湯取出管２５ｃを通って洗濯機に供給されて洗濯水として利用される。
【００４３】
なお本実施形態において、湯はり時にはダブル搬送によって湯水が供給される。すなわち給湯機から湯水が往き管２５ａおよび戻り管２５ｂの双方に供給され、往き管２５ａ側の湯水は管路部材２の往き管接続口２ａを介して往き管路２１ａ内に導入される。その一方、戻り管２５ｂ側の湯水は管路部材２の戻り管接続口２ｂから導入され、逆止弁２２ａを通って往き管路２１ａに導入されて、上記往き管２５ａからの湯水と合流する。こうして合流した湯水は往き管路２１ａを通って、槽外取付部材１の流入口１ａから内側流路Ａに導入されて、槽内突出部４０の吐出口４２から吐出される。
【００４４】
アダプター本体Ｐの槽内突出部４０には、ノズル部材５が取り付けられる。図６、図７、図１１および図１２に示すようにノズル部材５は、ノズル本体６と、延長ノズルとしてのアタッチメント７と、フィルター部材８とを備えている。
【００４５】
ノズル本体６は、前壁が湾曲形成され、かつ水平断面が矩形状の略ボックス型の形状を有している。ノズル本体６の後壁にはアダプター本体Ｐの槽内突出部４０に対応して取付口６０が形成されるとともに、下端は開放されてその下端開口部が下向きに開口されている。
【００４６】
ノズル本体６における取付口６０の周縁部には、槽内突出部４０の前面外周縁部に対向する円環状（リング状）の周縁シール部６１が一体に形成されており、その周縁シール部６１の槽内突出部４０との対向面（シール面）は平坦面に形成されている。さらにノズル本体６における周縁シール部６１の外周には、後方に突出し、かつ周方向の連続する周側壁部６２が一体に形成されている。さらにこの周側壁部６２には、アダプター本体Ｐの槽内突出部４０における周側面の吐出口４２に対応して吐出用開口６４が形成されている。この周側壁部６２はその内部に槽内突出部４０を嵌め込むことができるようになっている。
【００４７】
ノズル本体６における周側壁部６２の内面には、槽内突出部４０の各固定溝４６にそれぞれ対応して、スライド突起６３がそれぞれ一体に形成されている。そして図６および図７に示すようにノズル本体６の周縁シール部６１にリング状の水密パッキン５１を配置した状態で、ノズル本体６の周側壁部６２を槽内突出部４０に外嵌し、図９（ａ）に示すように各スライド突起６３を各固定溝４６の軸方向溝４７に沿って後端まで挿入した後、図９（ｂ）に示すようにノズル本体６をアダプター本体Ｐの軸心回りに捻回操作することによって、スライド突起６３を周方向溝４８に沿って一端側（軸方向溝４７側）から他端側（閉塞端部）まで移動させる。これによりスライド突起６３が周方向溝４８の側縁部に係合することによってノズル本体６のアダプター本体Ｐに対する前後方向の移動が阻止されて、ノズル本体６の抜け止めが図られるようになっている。さらにノズル本体６を捻回操作する際には、スライド突起６３が周方向溝４８の前側縁部のカム４９に沿って後方に移動するため、ノズル本体６が槽内突出部４０側に強く引き寄せられる。これによりノズル本体６の周縁シール部６１がパッキン５１を介して槽内突出部４０の前面外周縁部に強圧で密着し、パッキン５１が圧縮変形する。これにより図６に示すように槽内突出部４０の吸引口４１の外周において、アダプター本体Ｐとノズル本体６との間で水密が図られる。
【００４８】
またノズル本体６を捻回操作してアダプター本体Ｐに固定した状態では、ノズル本体６がその軸心（下端開口の開口軸）が垂直に配置されるように構成されている。
【００４９】
またノズル本体６をアダプター本体Ｐの槽内突出部４０に固定した状態では、ノズル本体６の周側壁部６２が槽内突出部４０の周側面を外側から覆うように配置される。さらにこの状態においては、槽内突出部４０の吸引口４１がノズル本体６の取付口６０に臨むように配置されるとともに、槽内突出部４０の吐出口４２がノズル本体６の吐出用開口６４に臨むように配置されている。
【００５０】
なおノズル本体６をアダプター本体Ｐから取り外す場合には、ノズル本体６を上記とは逆方向に捻回操作すれば、スライド突起６３が周方向溝４８から軸方向溝４７に移動するため、その状態でノズル本体６をアダプター本体Ｐに対し前方へ離間させるように抜き取ることにより、ノズル本体６を取り外すことができる。
【００５１】
図４および図１０に示すようにノズル本体６の両側壁下端には、下向きに開口する切欠部６６が形成されている。さらにノズル本体６の両側壁下端における切欠部６６の後方には、ノズル本体６の側壁を貫通する態様に固定孔６７が形成されている。
【００５２】
図４、図１０および図１１に示すようにアタッチメント７は、上下両端が開口された水平断面矩形状の略ボックス型の形状を有している。アタッチメント７の上端部は、一回り小さく形成されて嵌入部７０が形成されており、上記ノズル本体６の下端内部に嵌め込むことができるように構成されている。さらにアタッチメント７の嵌入部７０の両側外面には、ノズル本体６の固定孔６７に対応して挿入突起７１が形成されている。
【００５３】
図３に示すようにこのアタッチメント７は、その嵌入部７０における挿入突起７１よりも上方にパッキン７２を装着した状態で嵌入部７０をノズル本体６の下端部に嵌め込むと、挿入突起７１が固定孔６７内に係合して、アタッチメント７がノズル本体６に取り付けられる。この取付状態においては、パッキン７２によってノズル本体６とアタッチメント７との間の水密が図られている。
【００５４】
図４等に示すようにアタッチメント７の下端部は、上記ノズル本体６の下端部と同様に構成されている。すなわちアタッチメント７の両側壁下端には、下向きに開口する切欠部７６が形成されるとともに、切欠部７６の後方には、アタッチメント７の側壁を貫通する態様に固定孔７７が形成されている。
【００５５】
図１０〜図１２に示すようにフィルター部材８は、平面視矩形状の外枠８０を備えており、その枠内に多数の小孔によって構成されたフィルター本体（ストレーナ本体）８５が設けられている。
【００５６】
外枠８０の両側外面には、後端が外枠８０の前側コーナー部に固定され、かつ前端が自由端となる片持ち構造の棒状のつまみ片８２が一体に形成されている。さらにつまみ片８２の外面には、その固定端側に外方（側方）に突出するように挿入突起８１が形成されるとともに、つまみ片８２の外面における自由端側に外方（側方）に突出し、かつ上方に延びる押込操作部８３が一体に形成されている。つまみ片８２は弾力性を有しており、つまみ片８２の押込操作部８３を指で摘まんでつまみ片８２を内側に押し込むと、つまみ片８２は固定端を支点として自由端側が内側に弾性変形するようになっている。さらに弾性変形した状態のつまみ片８２に対し押込操作を解除すると、弾性復元力によってつまみ片８２が外側に開いて元の状態に復帰するようになっている。
【００５７】
なおつまみ片８２は、その固定端側から自由端側にかけて水平方向に配置されるように横向きに形成されている。
【００５８】
またフィルター部材８は、押込操作部８３を除いて、上記ノズル本体６の下端部およびアタッチメント７の下端部に適合状態に挿入できる大きさに形成されている。
【００５９】
図１３に示すようにこのフィルター部材８を例えばアタッチメント７に取り付ける場合には、つまみ片８２を摘まんで内側に弾性変形させた状態で、フィルター部材８をその押込操作部８３をアタッチメント７の切欠部７６に挿入させつつ、アタッチメント７の下端部に挿入する。その後つまみ片８２の押込操作を解除すると、つまみ片８２が外側に開いてつまみ片８２の挿入突起８１がアタッチメント７の固定孔７７に挿入される。これによりアタッチメント７の下端部にその下端開口を閉塞するようにフィルター部材８が取り付けられる。
【００６０】
なおアタッチメント７からフィルター部材８を取り外す場合には、フィルター部材８の押込操作部８３を指で押し込んでつまみ片８２を内側に弾性変形させる。これにより挿入突起８１がアタッチメント７の固定孔７７から抜き取られるため、フィルター部材８をアタッチメント７の下端部から取り外すことができる。
【００６１】
ところで上記図２に示す給湯アダプターのノズル部材５においては、ノズル本体６にアタッチメント７を介してフィルター部材８を取り付けた延長形態（ロングバージョン）に設定されているが、図１４に示すように本実施形態のノズル本体５においては、アタッチメント７を用いずにフィルター部材８をノズル本体６に直接取り付けた非延長形態（ショートバージョン）に設定することもできる。
【００６２】
図１４に示すように非延長形態では、アタッチメント７が取り付けられていないノズル部材５に対し、フィルター部材８をそのつまみ片を内側に弾性変形させた状態で、押込操作部８３をノズル本体６の切欠部６６に挿入させつつ、ノズル本体６の下端部に挿入して、つまみ片８２を元の状態に弾性復帰させる。これにより、つまみ片８２の挿入突起８１がノズル本体６の固定孔６７に挿入されて、フィルター部材８がノズル本体６に取り付けられる。なお取り外す場合には、押込操作部８３を内側に弾性変形させて、挿入突起８１を固定孔６７から抜き取れば、フィルター部材８をノズル本体６から取り外すことができる。
【００６３】
このように本実施形態の給湯アダプターは、ノズル部材５が長い延長形態とノズル部材５が短い非延長形態とのいずれの形態でも使用することができる。
【００６４】
以上の構成の給湯アダプターにおいて追い焚きを行う場合には、給湯機の吸引作用によって、槽内突出部４０の吸引口４１が負圧となってノズル部材５の内部も負圧となる。これにより浴槽内の湯水がノズル部材５の下端からフィルター部材８を通ってノズル部材５の内部に吸引され、さらにその湯水がノズル部材５の取付口６０を介して槽内突出部４０の吸引口４１から吸い込まれる。こうして槽内突出部４０内に吸い込まれた湯水は、既述した通り給湯機に吸引される。また給湯機に吸引された湯水はそこで再加熱されて給湯機から吐出され、その湯水が既述した通り、槽内突出部４０の吐出口４２から吐出され、さらにノズル本体６の周側壁部６２における吐出用開口６４を通って浴槽内に吐出される。
【００６５】
また浴槽内の湯水（残り湯）を洗濯水として利用する場合には、洗濯機の吸引ポンプを作動させる。これにより槽内突出部４０の吸引口４１が負圧となってノズル部材５の内部も負圧となり、浴槽内の湯水がノズル部材５の下端から吸引され、さらにその湯水がノズル部材５の取付口６０を介して槽内突出部４０の吸引口４１から吸引される。こうして槽内突出部４０内に吸い込まれた湯水は、既述した通り残り湯取出管２５ｃを通って洗濯機に供給される。
【００６６】
なお湯はりを行う場合には、既述した通り給湯機から往き管２５ａおよび戻り管２５ｂの双方に供給された湯水が途中で合流して槽内突出部４０の吐出口４２から吐出されて、ノズル本体６の吐出用開口６４を介して浴槽内に吐出されることとなる。
【００６７】
以上のように本実施形態の給湯アダプターによれば、ノズル部材５を長くした延長形態と、ノズル部材５を短くした非延長形態のいずれの形態でも使用することができる。このため例えば浴槽壁部Ｗに対するアダプターの取付高さが高いような浴槽では、ノズル部材５を延長形態とすることによって、ノズル部材５の下端を浴槽底面付近に配置することができる。このため浴槽内の残り湯をほとんど残さずに十分に取り出して洗濯水等として利用することができ、残り湯の有効利用を確実に図ることができる。
【００６８】
またアダプターの取付高さが低い浴槽においては、ノズル部材５を非延長形態とすることによって、ノズル部材５の下端を浴槽底面に干渉させずに底面付近に確実に配置することができる。このため浴槽底面との干渉によりノズル部材５が取り付けられない等の不具合を確実に防止しつつ、上記と同様、残り湯を残さずに十分に取り出すことができて、残り湯の有効利用を確実に図ることができる。
【００６９】
また本実施形態においては、ノズル部材５における取付口６０の周縁部に、アダプター本体Ｐにおける槽内突出部４０の前面外周縁部に対応する周縁シール部６１を形成し、この周縁シール部６１をパッキン５１を介して槽内突出部４０の前面外周縁部に圧接するようにノズル部材５をアダプター本体Ｐに取り付けるものであるため、簡単な構造でノズル部材５およびアダプター本体Ｐ間の水密を確実に図ることができる。
【００７０】
特に本実施形態においては、槽内突出部４０の周側面にＬ字状固定溝４６を形成し、ノズル部材５の周側壁部６２にスライド突起６３を形成し、スライド突起６３を固定溝４６に挿入してノズル部材５を捻回操作するだけで、ノズル部材５をアダプター本体Ｐに圧接した状態に固定できるため、水密を確実に確保しつつ、ノズル部材５を簡単にアダプター本体Ｐに取り付けることができる。
【００７１】
なお本実施形態では、スライド突起６３を固定溝４６に挿入することによってノズル部材５をアダプター本体Ｐに取り付けるようにしているが、それだけに限られず、本発明においてはノズル部材５の周側壁部内面に雌ねじを刻設するとともに、アダプター本体Ｐの槽内突出部周側面に雄ねじを刻設しておき、ノズル部材５をアダプター本体Ｐにねじ込んで（捻回操作して）取り付けるようにしても良い。
【００７２】
また本実施形態の給湯アダプターのノズル部材５においては、図１０等に示すようにフィルター部材８のつまみ片８２を横向きに設定しているため、以下に説明するようにノズル部材５の下端位置まで確実に水密を図ることができる。
【００７３】
すなわちフィルター部材８をアタッチメント７の下端に着脱自在に取り付けるための取付手段としては図１５に示すように、フィルター部材８の両側に、上端が固定端となり、かつ下端が自由端となる縦向きの弾性つまみ片１８２を形成するのが通例である。そしてその縦向きのつまみ片１８２をその下端部を指でつまんで内側に弾性変形させた状態で、アタッチメント７の下端部に挿入した後、つまみ片１８２を外側に開くように弾性復帰させて、つまみ片１８２の上端部外面の挿入突起１８１を、アタッチメント７の固定孔１７７に挿入することによって、フィルター部材８をアタッチメント７に取り付けるものである。ところでこのような構成においては、固定孔１７７によって水密を保つことが困難であるため、その水密確保が困難な固定孔１７７の位置を可能な限り低い位置に形成して、吸引可能な水位を低くするのが好ましい。しかしながら同図に示すようにつまみ片１８２を縦向きに形成すると、つまみ片１８２の上端に形成される挿入突起１８１の位置も高くなるため、アタッチメント７の下端から固定孔１７７までの高さＨ２が高くなり、高い位置まで水密を確保できなくなってしまい、低水位の湯水を吸い込むことが困難になり、残り湯を十分に取り出すことができなくなってしまう。
【００７４】
そこで図１０および図１２に示すように本実施形態のノズル部材５においては、フィルター部材８のつまみ片８２を横向きに形成しているため、つまみ片８２に形成される挿入突起８１の位置を高くする必要がなく低い位置に設定することができる。このためアタッチメント７の下端から固定孔７７までの高さＨ１も低くでき、水密を確保できる位置を低くできるためその分、低水位まで湯水を確実に吸い込むことができ、残り湯を十分に取り出すことができる。
【００７５】
以上の説明は、ノズル本体６に取り付けたアタッチメント７にフィルター部材８を取り付ける場合（延長形態）を例に挙げて説明したが、ノズル本体６にフィルター部材８を直接取り付ける場合（非延長形態）であっても、上記と同様、ノズル本体６の固定孔６７を低い位置に設定でき、低位置まで効率良く湯水を吸い込むことができる。
【００７６】
もっとも本発明においては、図１５に示すフィルター部材の取付構造を採用することも可能である。
【００７７】
なお上記実施形態においては、本発明の給湯アダプターを用いて浴槽内の残り湯を洗濯水等として利用する場合を例に挙げて説明したが、本発明の給湯アダプターの使用用途は特に限定されるものではない。例えば帰宅途中の屋外等からインターネット回線等を利用して浴槽に湯はりを行う際に、湯はりに先立って浴槽内の残り湯を排水するような場合にも、本発明の給湯アダプターを適用することができる。この場合、浴槽内の残り湯をノズル部材を介してアダプター本体に吸引し、その吸引した残り湯を給湯機等で排出することになるが、その場合であっても浴槽内の残り湯を十分に排出できて、湯はりを支障なく行うことができる。
【００７８】
また本発明は、槽内突出部の前面の吸引口を有する給湯アダプターであれば、どのようなアダプターにも適用することができ例えば、無極性のアダプターであっても、有極性のアダプターであっても適用できるとともに、逆止弁付きのアダプターであっても、弁無しタイプのアダプターであっても適用することができる。 
【産業上の利用可能性】
【００７９】
この発明の浴槽用給湯アダプターは、浴槽内の残り湯を洗濯水等として利用する際の残り湯利用設備等に適用することができる。
【符号の説明】
【００８０】
４０：槽内突出部
４１：吸引口
４６：固定溝
４７：軸方向溝
４８：周方向溝
４９：カム
５：ノズル部材
５１：パッキン
６：ノズル本体
６０：取付口
６１：周縁シール部
６２；周側壁部
６３：スライド突起
６７：固定孔
７：アタッチメント（延長ノズル）
７７：固定孔
８：フィルター部材
８１：挿入突起
８２：つまみ片
８３：押込操作部
Ｐ：アダプター本体
Ｗ：浴槽の側壁
【図１】
0006546503.tif 000002
【図２】
0006546503.tif 000003
【図３】
0006546503.tif 000004
【図４】
0006546503.tif 000005
【図５】
0006546503.tif 000006
【図６】
0006546503.tif 000007
【図７】
0006546503.tif 000008
【図８】
0006546503.tif 000009
【図９】
0006546503.tif 000010
【図１０】
0006546503.tif 000011
【図１１】
0006546503.tif 000012
【図１２】
0006546503.tif 000013
【図１３】
0006546503.tif 000014
【図１４】
0006546503.tif 000015
【図１５】
0006546503.tif 000016